(57)【特許請求の範囲】
【請求項１】
材軸方向に長尺状の構造材に被固定部材を固定するための固定金具であって、
第一連結端と、第一固定端と、前記被固定部材を支持する支持部と、を有する第一金具と、
前記第一連結端に対して前記材軸方向に沿う軸回りに回転可能に連結される第二連結端と、第二固定端と、を有する第二金具と、
前記構造材の前記材軸方向に略直交する面方向において前記構造材の外周を囲むように前記第一金具および前記第二金具が前記構造材に取り付けられた状態で、前記第一固定端と前記第二固定端とを連結し、前記第一金具および前記第二金具の回転を固定する固定具と、を備え、
前記固定具は、一端と、他端と、を有し、
前記第一固定端および前記第二固定端の一方は、前記一端側を貫通し常時保持する貫通孔を有し、
前記第一固定端および前記第二固定端の他方は、前記第一金具および前記第二金具の回転に伴い前記他端側を案内するスリットを有する、固定金具。
【請求項２】
前記材軸方向は、略水平方向に沿う方向であり、
前記構造材は、鉛直方向上側に位置する上面を有し、
前記第一金具は、前記第二金具に対して前記鉛直方向上側に配置され、前記構造材の前記上面側を収容する前記鉛直方向上側に凸状の収容部を有し、
前記固定金具は、前記固定具により固定されていない状態において、前記収容部が前記構造材を収容し前記第一金具と前記構造材とが掛かり合うことにより、前記構造材に対し仮固定される、請求項１記載の固定金具。
【請求項３】
前記固定具は、前記一端側に頭部を有するボルトと、前記スリットに案内された前記他端側を前記第二固定端に固定するナットと、を有し、
前記第二固定端は、前記スリットの開口側に前記他端側に折り曲げられることにより前記ボルトが前記開口側にスライドした際に前記ナットと掛かり合う抜け止め部を有する、請求項１または２に記載の固定金具。
【請求項４】
前記構造材は形鋼であり、前記被固定部材は屋根材又は天井材である、請求項１〜３のいずれかに記載の固定金具。
【発明の詳細な説明】
【技術分野】
【０００１】
本発明は、固定金具に関する。
【背景技術】
【０００２】
構造材に屋根材や天井材等を取り付ける方法として、騒音や飛び火に配慮した工法が望まれており、溶接を行うことなく構造材に屋根材や天井材等を取り付けるための様々な金具が提案されている（例えば、特許文献１参照）。
【先行技術文献】
【特許文献】
【０００３】
【特許文献１】特開２００３−１１３６６１
【発明の概要】
【発明が解決しようとする課題】
【０００４】
しかし、特許文献１に記載された取付金具のように、構造材の端部（フランジ）を挟み、締め付けて固定するものでは、固定強度に問題があり取付金具が外れる虞があった。
【０００５】
本発明はこのような事情を考慮してなされたもので、溶接・ドリルビス・ボルトナットを用いることなく容易に構造材に取り付けることができ、屋根材等を強固に固定することができる固定金具を提供することを目的とする。
【課題を解決するための手段】
【０００６】
本発明に係る固定金具は、上述した課題を解決するために、材軸方向に長尺状の構造材に被固定部材を固定するための固定金具であって、第一連結端と、第一固定端と、前記被固定部材を支持する支持部と、を有する第一金具と、前記第一連結端に対して前記材軸方向に沿う軸回りに回転可能に連結される第二連結端と、第二固定端と、を有する第二金具と、前記構造材の前記材軸方向に略直交する面方向において前記構造材の外周を囲むように前記第一金具および前記第二金具が前記構造材に取り付けられた状態で、前記第一固定端と前記第二固定端とを連結し、前記第一金具および前記第二金具の回転を固定する固定具と、を備え、前記固定具は、一端と、他端と、を有し、前記第一固定端および前記第二固定端の一方は、前記一端側を貫通し常時保持する貫通孔を有し、前記第一固定端および前記第二固定端の他方は、前記第一金具および前記第二金具の回転に伴い前記他端側を案内するスリットを有する。
【発明の効果】
【０００７】
本発明に係る固定金具は、溶接・ドリルビス・ボルトナットを用いることなく容易に構造材に取り付けることができ、屋根材等を強固に固定することができる。
【図面の簡単な説明】
【０００８】
【図１】本発明の第一実施形態に係る固定金具の使用状態を示す説明図。
【図２】本発明の第一実施形態に係る固定金具の斜視図。
【図３】本発明の第一実施形態に係る固定金具の正面図。
【図４】本発明の第二実施形態に係る固定金具の正面図。
【図５】本発明の第二実施形態に係る第一金具の斜視図。
【図６】本発明の第三実施形態に係る固定金具の正面図。
【図７】本発明の第三実施形態に係る第一金具の斜視図。
【図８】本発明の第一変形例に係る固定金具の要部拡大図。
【図９】本発明の第二変形例に係る固定金具の要部拡大図。
【図１０】本発明の第三変形例に係る固定金具の正面図。
【図１１】本発明の第三変形例に係る固定金具の使用状態を示す説明図。
【発明を実施するための形態】
【０００９】
本発明に係る固定金具の実施形態を添付図面に基づいて説明する。
【００１０】
［第一実施形態］
図１は、本発明の第一実施形態に係る固定金具１の使用状態を示す説明図である。図２は、本発明の第一実施形態に係る固定金具１の斜視図である。図３は、本発明の第一実施形態に係る固定金具１の正面図である。
【００１１】
図１に示すように、固定金具１は、材軸方向に長尺状の構造材６に屋根材等の被固定部材７を固定するために使用される。ここで、「材軸」とは、構造材断面の図心（重心）を通る、長手方向の軸線をいい、「材軸方向」とは、構造材の材軸と平行な方向をいう。なお、材軸方向は、略水平方向に沿う方向である。
【００１２】
構造材６は、鉛直上向き方向（図１および図３における上方向）に位置する上面６１と、構造材６の外側に位置し上面６１と直交する側面６２と、を有し、断面がＬ形状のＬ形鋼である。
【００１３】
被固定部材７は、屋根材、天井材、吊子またはフレーム等の固定金具に固定される部材であり、第一実施形態において、被固定部材７は屋根材と吊子である。吊子は、第二立ち上がり部８２の上面８６に固定され、吊子の上部に屋根材が連結する。
【００１４】
固定金具１は、第一金具２と、第二金具３と、固定具４と、を備える。
第一金具２は、第一連結端２１と、第一固定端２２と、第一支持部２３と、立ち上がり部８と、を有する。第一金具２は、構造材６と屋根材７との間に位置し、構造材６の上面６１に覆い被さるように配置される。
【００１５】
第一連結端２１は、対向する一対の第一立ち上がり部８１の一の側縁８３下部から、鉛直下向き（図３における下方向）に垂下して形成される。一対の第一連結端２１は対向し、軸ボルト５を挿入するための貫通孔２８が設けられる。
【００１６】
第一固定端２２は、構造材６の上面６１を挟んで第一連結端２１の反対側に配置される。第一固定端２２は、固定具４の一端を貫通し常時保持する貫通孔２９を有する。第一固定端２２は、固定具４を介して第二固定端３２と連結する。
【００１７】
第一支持部２３は、対向する一対の第一立ち上がり部８１の各下側端部が、材軸方向に直交する方向（図３における左右方向）に折り目を有するように折れ曲がり形成される。一対の第一支持部２３は、構造材６の上面６１上に配置され、屋根材を間接的に支持する。
【００１８】
立ち上がり部８は、一対の第一立ち上がり部８１と、第二立ち上がり部８２と、から形成される。第一立ち上がり部８１は、一対の第一支持部２３における左右方向に沿う対向する端辺から垂直方向に立ち上がり形成される。第二立ち上がり部８２は、第一固定端２２における左右方向の構造材６側の端辺から垂直方向に立ち上がり形成される。第二立ち上がり部８２の側縁８４は、一対の第一立ち上がり部８１の一の側縁８３に接続され、立ち上がり部８はコ字形状を有する。
立ち上がり部８は、屋根材等を取り付けるためのフレームを兼ねることができる。これにより、固定金具１に別途フレームを設置する必要がなくなるため、部品点数の削減や屋根材等の取付作業の効率化を図ることができる。
【００１９】
一の第一立ち上がり部８１は、第一立ち上がり部８１の上側端部が左右方向に折り目を有するように折れ曲がって形成される上面８５を有する。上面８５は、屋根材７のハゼ部の根元に位置する水平面に接触して、屋根材７を支持する。
第二立ち上がり部８２は、第一立ち上がり部８１の上側端部が材軸方向に折り目を有するように折れ曲がって形成される上面８６を有する。上面８６上には、吊子７が配置される。なお、第一立ち上がり部８１および第二立ち上がり部８２の上端部の形状は、固定される屋根材７や吊子７の形状により適宜変更される。
【００２０】
第一金具２は、収容部２４をさらに有する（図３）。収容部２４は、第一支持部２３と、第一連結端２１と、折り曲げ部２５と、から形成され、上方向に凸形状を有する。凸形状は、構造材６の外形に合致した形状であり、凸部の内側（凹部）に構造材６の上部側を収容することができる。
【００２１】
第二金具３は、第二連結端３１と、第二固定端３２と、第二支持部３３と、を有する。第二金具３は、構造材６の材軸方向に略直交する面方向（図３において形鋼のＬ形が示される断面方向）において構造材６の外周のうち下側部分を囲むように、取り付けられる。
【００２２】
第二連結端３１は、第二支持部３３における左右方向の一の端部に配置される。第二連結端３１は、一対の対向する側部３６と、側部３６の対向する一の側縁で側部３６を接続する接続部３７と、から形成され、断面がコ字形状である。側部３６には、軸ボルト５を挿入するための貫通孔３８が設けられている。
【００２３】
第二連結端３１は、第一連結端２１に対して材軸方向に沿う軸回りに回転可能に連結される。第二連結端３１の側部３６は、貫通孔２８，３８の位置が一致するように第一連結端２１に重ね合わせられ、第一連結端２１および第二連結端３１の貫通孔２８，３８に材軸方向に沿って軸ボルト５が挿入される。軸ボルト５は、ナットで固定される。
【００２４】
第二固定端３２は、第二支持部３３における左右方向の他の端部に配置される。第二固定端３２は、固定具４を介して第一固定端２２と連結される。第二固定端３２における左右方向の右側端部には、固定具４を第二固定端３２に案内するスリット３５が設けられている（図２）。
また、スリット３５の開口側端部は、固定具４の挿入方向（図３における下方向）に折り曲げられて形成された抜け止め部３４を有する。抜け止め部３４は、後述するナット４２と掛かり合い、所定位置にナット４２を支持することができる。これにより、固定具４（後述するボルト４１）がスリット３５の開口側端部側にスライドした際に、スリット３５の開口から固定具４が外れることを防止することができる。
【００２５】
第二支持部３３は、構造材６の上下方向において、第一支持部２３の向かい側に位置し、構造材６の外周のうち下側部分を囲うように配置される。第二支持部３３と、第二固定端３２の接続部分は、構造材６の側面６２側の先端部（図３における構造材６の下側端部）に掛かり合い、側面６２に沿うように折り曲げられた段差部３９を有する。
【００２６】
固定具４は、第一固定端２２と、第二固定端３２とを連結し、第一金具２および第二金具３の軸ボルト５周りの回転を固定する。固定具４としては、一端と、他端と、を有し、一端側に頭部を有するボルト４１と、ボルト４１の他端側を固定するナット４２を用いることができる。
【００２７】
固定金具１の構造材６への取付方法を、以下説明する。
まず、第一連結端２１と第二連結端３１を連結させた一体である固定金具１を、構造材６の所要位置に配置する。固定金具１が固定具４により固定されていない状態では、構造材６から固定金具１が滑り落ちないように押えながら第一固定端２２の貫通孔２９にボルトを挿入する作業を行う必要がある。例えば、第一金具２を一方の手で構造材６に対して押さえつけながら、他方の手で第二金具３を軸ボルト５周りに回転させる作業が必要になる。特に、構造材６の上面６１が水平面に対して傾いて設置されている場合には、固定金具１を構造材６に押さえつけながら、第一固定端２２の貫通孔２９にボルトを挿入する作業を行う必要がある。この時、固定金具１のように収容部２４が設けられていると、収容部２４の凹部に構造材６の上部側を収容し、第一金具２と構造材６とを掛かり合わせて仮固定することができるため、作業性を損なわない。
【００２８】
次に、一端側に頭部を有するボルト４１の他端を第一固定端２２の貫通孔２９に挿入し、ボルト４１の頭部を第一固定端２２に保持させる。貫通孔２９を通り抜けたボルト４１の他端側は、第二固定端３２に設けられたスリット３５に沿って第二固定端３２の所定位置（スリット３５の突き当り）に案内される。この時、第二金具３を軸ボルト５周りに回転（ボルト４１に対してスライド）させて、ボルト４１の他端側を第二固定端３２のスリット３５の開口から所定位置まで案内する。第二固定端３２に貫通孔ではなくスリット３５を設けることにより、第一固定端２２と第二固定端３２の二つの貫通孔の位置を合わせて、ボルト４１を貫通孔に挿入する作業を省くことが可能となり、固定金具１の取付作業を簡略化することができる。
最後に、第二金具３をスライドさせてボルト４１を第二固定端３２の所定位置に配置した後、ボルト４１の他端をナット４２で固定する。これにより、第一金具２と第二金具３の回転を固定することができ、固定金具１は構造材６に確実に固定される。
【００２９】
このような第一実施形態に係る固定金具１は、溶接・ドリルビス・ボルトナットを用いることなく容易に構造材６に取り付けることが可能であり、作業時間を大幅に短縮することができる。また、第一金具２と第二金具３は、構造材６の外周を囲うように固定されるため、従来の取付金具と比較して、構造材６に対して強固に取り付けられる。その結果、固定金具１の被固定部材７を構造材６に強固に固定することができる。さらに、固定金具１を構造材６に取り付ける際には、構造材６の上側から取付作業を行う必要がなく、下側のみから安全に作業を行うことができる。
【００３０】
［第二実施形態］
図４は、本発明の第二実施形態に係る固定金具１ａの正面図である。図５は、本発明の第二実施形態に係る第一金具２ａの斜視図である。図５は、説明のため、第一金具２ａのみが図示されている。固定金具１ａは、屋根材を構造材６ａに固定するために用いられる。第二実施形態において、屋根材は吊子７ａと組み合わせて、固定金具１ａに固定される。
固定金具１ａは、第一金具２ａと、第二金具３ａと、固定具４ａと、を備える。第二金具３ａ、および固定具４ａは第一実施形態に係る第二金具３、および固定具４と同一であるため、重複する説明は省略する。
【００３１】
第一金具２ａは、第一連結端２１ａと、第一固定端２２ａと、第一支持部２３ａと、立ち上がり部８ａと、を有する。第一金具２ａは、構造材６ａと屋根材（被固定部材７）との間に位置し、構造材６ａの上面６１ａに覆い被さるように配置される。
第一連結端２１ａは、第一支持部２３ａにおける左右方向の一の端部に配置される。第一連結端２１ａは、第一支持部２３ａと同一平面上に位置する頂部２６ａと、頂部２６ａにおける材軸方向の両端部から垂下する側部２７ａと、から形成され、断面がコ字形状である。側部２７ａには、軸ボルト５ａを挿入するための貫通孔２８ａが設けられている。
【００３２】
第一固定端２２ａは、第一支持部２３ａにおける左右方向の他の端部に配置される。第一固定端２２ａは、固定具４ａの一端を貫通し常時保持する貫通孔２９ａを有する。第一固定端２２ａは、固定具４ａを介して第二固定端３２ａと連結する。
【００３３】
第一支持部２３ａは、構造材６ａの上面６１ａ上に配置される。第一支持部２３ａと、第一固定端２２ａとの接続部分には、接続部分を折り曲げることにより形成される折り曲げ部２５ａが配置される。
【００３４】
立ち上がり部８ａは、吊子７ａを固定金具１ａに取り付けるために用いられる。立ち上がり部８ａは、第一支持部２３ａの材軸方向の一の端部から垂直に立ち上がり形成される。
【００３５】
このような固定金具１ａは、構造材６ａに取り付ける被固定部材７の形状に応じて適宜構成することができる。固定金具１ａは種々の被固定部材７にも対応可能であり、第一実施形態の固定金具１同様に、構造材６ａに容易に取り付けることができ、また構造材６ａに被固定部材７を強固に取り付けることが可能である。
【００３６】
［第三実施形態］
図６は、本発明の第三実施形態に係る固定金具１ｂの正面図である。図７は、本発明の第三実施形態に係る第一金具２ｂの斜視図である。図７は、説明のため、第一金具２ｂのみが図示されている。固定金具１ｂは、例えば屋根材を構造材６ｂに固定するために用いられる。第三実施形態において、屋根材は単独で固定金具１ｂに固定されてもよいし、屋根材と吊子やフレーム等が組み合わされて、固定金具１ｂに固定されてもよい。しかし、漏水を防止する観点からは、吊子やフレーム等と組み合わせて固定されることが好ましい。
固定金具１ｂは、第一金具２ｂと、第二金具３ｂと、固定具４ｂと、を備える。第二金具３ｂ、および固定具４ｂは第一実施形態に係る第二金具３、および固定具４と同一であるため、重複する説明は省略する。
【００３７】
第一金具２ｂは、第一連結端２１ｂと、第一固定端２２ｂと、第一支持部２３ｂと、を有する。第一金具２ｂは、構造材６ｂと屋根材との間に位置し、構造材６ｂの上面６１ｂに覆い被さるように配置される。第一連結端２１ｂおよび第一固定端２２ｂは、第二実施形態の第一連結端２１ａおよび第一固定端２２ａと同一であるため、重複する説明は省略する。
【００３８】
第一支持部２３ｂは、構造材６ｂの上面６１ｂ上に配置される。第一支持部２３ｂの中央部分には、屋根材等を取り付けるためのビス９ｂ等が設けられる。このため、第一支持部２３ｂの中央部分は、構造材６ｂの上面６１ｂから離れ、上面６１ｂと第一支持部２３ｂの間には、ビス９ｂの頭部等を収容するための空間が形成される。
【００３９】
このような固定金具１ｂは、構造材６ｂに取り付ける被固定部材の形状に応じて適宜構成することができる。固定金具１ｂは種々の被固定部材にも対応可能であり、第一および第二実施形態の固定金具１、１ａ同様に、構造材６ｂに容易に取り付けることができ、また構造材６ｂに被固定部材を強固に取り付けることが可能である。
【００４０】
［第一変形例および第二変形例］
第一実施形態〜第三実施形態においては、固定金具１，１ａ，１ｂがＬ形鋼に取り付けられる場合について説明した。しかし、本発明の固定金具の取付先である構造材はこれに限定されず、Ｈ形鋼、Ｉ形鋼、Ｌ形鋼、溝形鋼、ハット形鋼、リップ溝形鋼または角形鋼管等の種々の形鋼を用いることができる。
【００４１】
例えば、図８は、本発明の第一変形例に係る固定金具１ｃの要部拡大図である。図９は、本発明の第二変形例に係る固定金具１ｄの要部拡大図である。固定金具１ｃは、形鋼の一例であるＣ形鋼に取り付けられ、固定金具１ｄは、Ｈ形鋼に取り付けられる。
【００４２】
固定金具１ｃおよび固定金具１ｄは、第一金具２ｃ，２ｄと、第二金具３ｃ，３ｄと、固定具４ｃ，４ｄと、を備える。第一金具２ｃ，２ｄ、および固定具４ｃ，４ｄは第一実施形態に係る第一金具２、および固定具４と略同一であるため、重複する説明は省略する。
【００４３】
第二金具３ｃ，３ｄは、第二連結端３１ｃ，３１ｄと、第二固定端３２ｃ，３２ｄと、第二支持部３３ｃ，３３ｄと、を有する。第二金具３ｃ，３ｄは、構造材６ｃ，６ｄの材軸方向に略直交する面方向（図８および図９において形鋼のＣ形またはＨ形が示される断面方向）において構造材６ｃ，６ｄの外周のうち下側部分を囲むように配置される。
【００４４】
第二支持部３３ｃ，３３ｄは、第二固定端３２ｃ，３２ｄにおける左右方向の端部から構造材６ｃ，６ｄの下方向に位置する面に沿うように伸び、構造材６ｃ，６ｄの第二連結端３１ｃ，３１ｄ側の角部（図８および図９における右側端部に位置する角部）で垂直に立ち上がり形成される。また、第二支持部３３ｃ，３３ｄと、第二固定端３２ｃ，３２ｄの接続部分は、構造材６ｃ，６ｄの第二固定端３２ｃ，３２ｄ側の角部（図８および図９における左側端部に位置する角部）に掛かり合うように折り曲げられた段差部３９ｃ，３９ｄが設けられている。
【００４５】
このように、第一金具または第二金具の形状および寸法を適宜設定することにより、本発明に係る固定金具は種々の形鋼に適用できる。
【００４６】
［第三変形例］
図１０は、本発明の第三変形例に係る固定金具１ｅの正面図である。図１１は、本発明の第三変形例に係る固定金具１ｅの使用状態を示す説明図である。固定金具１ｅは、被固定部材として天井材７ｅ等を固定する際に使用することができる。
【００４７】
固定金具１ｅは、第一金具２ｅと、第二金具３ｅと、固定具４ｅと、を備える。第一金具２ｅ、第二金具３ｅ、および固定具４ｅは、屋根材７等を固定する際に使用される第一実施形態に係る第一金具２、第二金具３、および固定具４と、被固定部材７の設置面（左右方向軸）に対して対称の位置に配置される。このように、固定金具１ｅは、被固定部材としての天井材７ｅのように、構造材６ｅに対して上方に固定される場合に限らず、下方に固定される場合にも適用できる。
【００４８】
本発明の固定金具は上記実施形態に限定されず、本発明の主旨を逸脱しない範囲において、種々の改良や変更を行うことができる。例えば、本実施形態においてスリットは第二の固定端に設けられているが、第一固定端に設けられてもよい。また、ボルトの頭部と先端との位置は反対であってもよい。屋根材や天井材等の被固定部材は、単独で固定金具に固定されてもよいし、吊子やフレーム等と組み合わせて固定されてもよく、被固定部材に応じて固定金具の構造を適宜設定すればよい。また、固定金具１，１ａ，１ｂ，１ｃ，１ｄにおいて軸ボルト５，５ａ，５ｂ，５ｃ，５ｄは第一金具２，２ａ，２ｂ，２ｃ，２ｄと構造材６，６ａ，６ｂ，６ｃ，６ｄとの接触面よりも下方向に位置し、固定金具１ｅにおいて軸ボルト５ｅは第一金具２ｅと構造材６ｅとの接触面よりも上方向に位置するが、接触面よりも上方向または下方向に位置するようにしてもよい。
【符号の説明】
【００４９】
１，１ａ，１ｂ，１ｃ，１ｄ，１ｅ  固定金具
２，２ａ，２ｂ，２ｃ，２ｄ，２ｅ  第一金具
２１，２１ａ，２１ｂ  第一連結端
２２，２２ａ，２２ｂ  第一固定端
２３，２３ａ，２３ｂ  第一支持部
２４  収容部
３，３ａ，３ｂ，３ｃ，３ｄ，３ｅ  第二金具
３１，３１ｃ，３１ｄ  第二連結端
３２，３２ａ，３２ｃ，３２ｄ  第二固定端
３３，３３ｃ，３３ｄ  第二支持部
３４  抜け止め部
３５  スリット
４，４ａ，４ｂ，４ｃ，４ｄ，４ｅ  固定具
４１  ボルト
４２  ナット
５，５ａ，５ｂ，５ｃ，５ｄ，５ｅ  軸ボルト
６，６ａ，６ｂ，６ｃ，６ｄ，６ｅ  構造材
７  被固定部材、屋根材、吊子
７ｅ  天井材
【要約】
【課題】溶接・ドリルビス・ボルトナットを用いることなく容易に構造材に取り付けることができ、屋根材等を強固に固定することができる固定金具を提供する。
【解決手段】本発明に係る固定金具１は、材軸方向に長尺状の構造材６に被固定部材７を固定するための固定金具であって、第一連結端２１と、第一固定端２２と、被固定部材７を支持する支持部２３と、を有する第一金具２と、第一連結端２１に対して材軸方向に沿う軸回りに回転可能に連結される第二連結端３２と、第二固定端３３と、を有する第二金具３と、構造材６の材軸方向に略直交する面方向において構造材６の外周を囲むように、第一金具２および第二金具３が構造材６に取り付けられた状態で第一固定端２２と第二固定端３２とを連結し、第一金具２および第二金具３の回転を固定する固定具４と、を備える。
【選択図】図２【図１】
0006751979.tif 000002
【図２】
0006751979.tif 000003
【図３】
0006751979.tif 000004
【図４】
0006751979.tif 000005
【図５】
0006751979.tif 000006
【図６】
0006751979.tif 000007
【図７】
0006751979.tif 000008
【図８】
0006751979.tif 000009
【図９】
0006751979.tif 000010
【図１０】
0006751979.tif 000011
【図１１】
0006751979.tif 000012